(57)【特許請求の範囲】
【請求項１】
作業区間の下水管の上流側に設けた上流側止水用栓（１７）と、
その作業区間の下水管の下流側に設けた下流側止水用栓（１８）と、
前記上流側止水用栓（１７）より上流側の汚水等を下流側止水用栓（１８）より下流側にバイパスして排水する手段と、
前記作業区間の下水管に接続した複数の排水管（４０）と、
この各排水管（４０）にそれぞれ接続した複数の排水用マス（４１）と、
この各排水用マス（４１）から各排水管（４０）内への汚水流れをそれぞれ阻止する複数の止水用栓（４５）と、
吸引排水装置（２０）と、
前記各排水用マス（４１）に挿入されて、前記各排水用マス（４１）内の汚水を前記吸引排水装置（２０）に移送するための複数の補助吸引管（４６）と、
前記吸引排水装置（２０）により吸引された汚水を前記下流側止水用栓（１８）より下流側に排水するための排出管（２７）とを備える下水管作業用循環排水装置であって、
前記各補助吸引管（４６）に開閉弁（４８）をそれぞれ設け、この開閉弁（４８）を所定の時間間隔で順次開作動して１本の補助吸引管（４６）が所定の時間だけ順次吸引するようにしたことを特徴とする下水管作業用循環排水装置。
【請求項２】
前記各排水用マス（４１）内に所定の高さの水位となると信号を出力するレベルセンサ（５２）をそれぞれ設け、このレベルセンサ（５２）より信号が出力された時にその排水用マス（４１）に挿入した補助吸引管（４６）の開閉弁（４８）を優先的に開作動するようにした請求項１記載の下水管作業用循環排水装置。
【請求項３】
作業区間の下水管の上流側に設けた上流側止水用栓（１７）と、
その作業区間の下水管の下流側に設けた下流側止水用栓（１８）と、
前記上流側止水用栓（１７）より上流側の汚水等を下流側止水用栓（１８）より下流側にバイパスして排水する手段と、
前記作業区間の下水管に接続した複数の排水管（４０）と、
この各排水管（４０）にそれぞれ接続した複数の排水用マス（４１）と、
この各排水用マス（４１）から各排水管（４０）内への汚水流れをそれぞれ阻止する複数の止水用栓（４５）と、
吸引排水装置（２０）と、
前記各排水用マス（４１）に挿入されて、前記各排水用マス（４１）内の汚水を前記吸引排水装置（２０）に移送するための複数の補助吸引管（４６）と、
前記吸引排水装置（２０）により吸引された汚水を前記下流側止水用栓（１８）より下流側に排水するための排出管（２７）とを備える下水管作業用循環排水装置であって、
前記各補助吸引管（４６）にそれぞれ設けた開閉弁４８と、前記各開閉弁（４８）を開閉動作するコントローラ（２２）と、各補助吸引管（４６）における開閉弁（４８）よりも排水用マス４１寄りの真空度をそれぞれ測定してコントローラ（２２）に入力するセンサ７０とを設け、
前記コントローラ（２２）は、１つの開閉弁（４８）を開とし、残りの開閉弁（４８）を閉として１つの排水用マス（４１）内の汚水を１つの補助吸引管（４６）を経て排水している時に、その１つの補助吸引管（４６）の真空度が設定値以下に低下したらその開閉弁（４８）を閉とし、かつ残りの開閉弁（４８）の１つを所定の順番で開とするようにしたことを特徴とする下水管作業用循環排水装置。
【請求項４】
作業区間の下水管の上流側に設けた上流側止水用栓（１７）と、
その作業区間の下水管の下流側に設けた下流側止水用栓（１８）と、
前記上流側止水用栓（１７）より上流側の汚水等を下流側止水用栓（１８）より下流側にバイパスして排水する手段と、
前記作業区間の下水管に接続した複数の排水管（４０）と、
この各排水管（４０）にそれぞれ接続した複数の排水用マス（４１）と、
この各排水用マス（４１）から各排水管（４０）内への汚水流れをそれぞれ阻止する複数の止水用栓（４５）と、
吸引排水装置（２０）と、
前記各排水用マス（４１）に挿入されて、前記各排水用マス（４１）内の汚水を前記吸引排水装置（２０）に移送するための複数の補助吸引管（４６）と、
前記吸引排水装置（２０）により吸引された汚水を前記下流側止水用栓（１８）より下流側に排水するための排出管（２７）とを備える下水管作業用循環排水装置であって、
前記各補助吸引管（４６）にそれぞれ設けた開閉弁（４８）と、前記各開閉弁（４８）を開閉動作するコントローラ（２２）と、各排水用マス（４１）と吸引排水装置（２０）との間の真空度をそれぞれ測定してコントローラ（２２）に入力するセンサ（７０）とを設け、
前記コントローラ（２２）は、１つの開閉弁（４８）を開とし、残りの開閉弁（４８）を閉として１つの排水用マス４１内の汚水を１つの補助吸引管（４６）を経て排水している時に、センサ（７０）で測定した真空度が設定値以下に低下したらその開閉弁（４８）を閉とし、かつ残りの開閉弁（４８）の１つを所定の順番で開とするようにしたことを特徴とする下水管作業用循環排水装置。
【請求項５】
前記コントローラ（２２）は、１つの開閉弁（４８）を開とし、残りの開閉弁（４８）を閉として１つの排水用マス（４１）内の汚水を１つの補助吸引管（４６）を経て排水している時に、センサ（７０）で測定した真空度が設定値以下に低下したらその開閉弁（４８）を閉とし、かつセンサ（７０）の測定した真空度が所定値に復帰したら残りの開閉弁（４８）の１つを開とするようにした請求項４記載の下水管作業用循環排水装置。
【請求項６】
作業区間の下水管の上流側に設けた上流側止水用栓（１７）と、
その作業区間の下水管の下流側に設けた下流側止水用栓（１８）と、
前記上流側止水用栓（１７）より上流側の汚水等を下流側止水用栓（１８）より下流側にバイパスして排水する手段と、
前記作業区間の下水管に接続した複数の排水管（４０）と、
この各排水管（４０）にそれぞれ接続した複数の排水用マス（４１）と、
この各排水用マス（４１）から各排水管（４０）内への汚水流れをそれぞれ阻止する複数の止水用栓（４５）と、
吸引排水装置（２０）と、
前記各排水用マス（４１）に挿入されて、前記各排水用マス（４１）内の汚水を前記吸引排水装置（２０）に移送するための複数の補助吸引管（４６）と、
前記吸引排水装置（２０）により吸引された汚水を前記下流側止水用栓（１８）より下流側に排水するための排出管（２７）とを備える下水管作業用循環排水装置であって、
前記各補助吸引管（４６）にそれぞれ設けた開閉弁（４８）と、前記各開閉弁（４８）を開閉動作するコントローラ（２２）と、各補助吸引管（４６）の排水用マス（４１）の吸込口と吸引排水装置（２０）との間の真空度をそれぞれ測定してコントローラ（２２）に入力するセンサ（７０）と、排水用マス（４１）内の水位が一定高さとなると信号をコントローラ（２２）に入力するレベルセンサ（５２）とを設け、
前記コントローラ（２２）は、レベルセンサ（５２）から信号が入力されない場合には所定の順番で１つの開閉弁（４８）を開とし、残りの開閉弁（４８）を閉として１つの排水用マス（４１）内の汚水を１つの補助吸引管（４６）を経て排水し、かつセンサ（７０）で測定した真空度が設定値以下に低下したらその開閉弁（４８）を閉とし、かつ残りの開閉弁（４８）の１つを所定の順番で開とするようにし、
前記コントローラ（２２）は、レベルセンサ（５２）からの信号が入力された場合には、その時に開となっていた開閉弁（４８）を閉とし、そのレベルセンサ（５２）を設けた排水用マス（４１）に接続した補助吸引管（４６）の開閉弁  （４８）を開とし、センサ（７０）で測定した真空度が設定値以下に低下したらその開閉弁（４８）を閉し、かつ他の開閉弁（４８）の１つを所定の順番で開とするようにしたことを特徴とする下水管作業用循環排水装置。
【請求項７】
作業区間の下水管の上流側に設けた上流側止水用栓（１７）と、
その作業区間の下水管の下流側に設けた下流側止水用栓（１８）と、
前記上流側止水用栓（１７）より上流側の汚水等を下流側止水用栓（１８）より下流側にバイパスして排水する手段と、
前記作業区間の下水管に接続した複数の排水管（４０）と、
この各排水管（４０）にそれぞれ接続した複数の排水用マス（４１）と、
この各排水用マス（４１）から各排水管（４０）内への汚水流れをそれぞれ阻止する複数の止水用栓（４５）と、
吸引排水装置（２０）と、
前記各排水用マス（４１）に挿入されて、前記各排水用マス（４１）内の汚水を前記吸引排水装置（２０）に移送するための複数の補助吸引管（４６）と、
前記吸引排水装置（２０）により吸引された汚水を前記下流側止水用栓（１８）より下流側に排水するための排出管（２７）とを備える下水管作業用循環排水装置であって、
前記各補助吸引管（４６）にそれぞれ設けた開閉弁（４８）と、前記各開閉弁（４８）を開閉動作するコントローラ（２２）と、各開閉弁（４８）と吸引排水装置（２０）との間の真空度をそれぞれ測定してコントローラ（２２）に入力するセンサ（７０）と、排水用マス（４１）内の水位が一定高さとなると信号をコントローラ（２２）に入力するレベルセンサ（５２）とを設け、
前記コントローラ（２２）は、前記センサ（７０）で測定した真空度が設定値以下に低下した場合、その開閉弁（４８）を閉とし、かつ残りの開閉弁（４８）の１つを所定の順番で開とする第１の機能と、真空度が設定値以下に低下しないうちに吸引時間が所定時間を経過した場合、その開閉弁（４８）を閉とし、かつ残りの開閉弁（４８）の１つを所定の順番で開とする第２の機能と、レベルセンサ（５２）からの信号が入力された場合には、前記第１・第２の機能に優先してその時に開となっていた開閉弁（４８）を閉とし、そのレベルセンサ（５２）を設けた排水用マス（４１）に接続した補助吸引管（４６）の開閉弁（４８）を開とし、センサ（７０）で測定した真空度が設定値以下に低下した場合、又は真空度が設定値以下に低下しないうちに吸引時間が所定時間を経過した場合、その開閉弁（４８）を閉とし、かつ残りの開閉弁（４８）の１つを順番に開とする第３の機能を有するようにしたことを特徴とする下水管作業用循環排水装置。
【発明の詳細な説明】
【０００１】
【発明の属する技術分野】
本発明は、地中に埋設された下水管を清掃、検査、補修、交換等の作業をする際に、その作業区間に汚水等が流れないようにする下水管作業用循環排水装置に関する。
【０００２】
【従来の技術】
地中に埋設された下水管の内部には長年の使用により、土砂、汚泥及び異物が堆積するので、その堆積した土砂、汚泥及び異物を除去清掃する必要がある。
【０００３】
また、地中に埋設された下水管は経時変化等によりクラックや継手部不良等が発生する。特に下水管がヒューム管の場合には腐食して穴があいたりする。
このために、下水管の内部を検査したり、定期的に補修あるいは交換する必要がある。
【０００４】
前述のように、下水管を清掃、点検、補修、交換等の作業をするには、その作業区間の下水管内に機器を挿入したり、作業者が入り込んで作業をするので、その作業期間中に下水の使用を中止しなければならない。
【０００５】
このことを解消するために、例えば実公平６−１３８９０号公報に開示された下水管作業用循環排水装置が提案されている。
【０００６】
この下水管作業用循環排水装置は図１５に示すように、下水管１の第１のマンホール２と第２のマンホール３との間の部分１ａを作業区間とし、その作業区間の下水管１ａの上流側の部分１ｂと下流側の部分１ｃに止水用栓４を設けて作業区間の下水管１ａに汚水等が流れないようにする。
【０００７】
そして、地上に設置したポンプ５の吸込管６を上流側の部分１ｂに位置させ、そのポンプ５の吐出管７を下流側の部分１ｃに位置させることで、作業区間よりも上流側の汚水等を下流側にバイパスして流すようにしてある。
【０００８】
かかる下水管作業用循環排水装置によれば下水を使用しても作業区間の下水管に汚水等が流れないので、下水を使用しながらその作業区間の下水管を清掃、点検、補修、交換等の作業をすることができる。
【０００９】
【発明が解決しようとする課題】
しかしながら、第１のマンホール２と第２のマンホール３との間の下水管には複数の排水管が接続され、その排水管は各家の排水用マスに接続しているので、作業区間の下水管には複数の家からの汚水等が流れ込む。
【００１０】
このために、下水管の作業中にはその作業区間の下水管に接続した各家は下水の使用を停止しなければならない。
【００１１】
そこで、本発明は前述の課題を解決できるようにした下水管作業用循環排水装置を提供することを目的とする。
【００１２】
【課題を解決するための手段及び作用】
第１の発明は、作業区間の下水管の上流側に設けた上流側止水用栓１７と、
その作業区間の下水管の下流側に設けた下流側止水用栓１８と、
前記上流側止水用栓１７より上流側の汚水等を下流側止水用栓１８より下流側にバイパスして排水する手段と、
前記作業区間の下水管に接続した複数の排水管４０と、
この各排水管４０にそれぞれ接続した複数の排水用マス４１と、
この各排水用マス４１から各排水管４０内への汚水流れをそれぞれ阻止する複数の止水用栓４５と、
吸引排水装置２０と、
前記各排水用マス４１に挿入されて、前記各排水用マス４１内の汚水を前記吸引排水装置２０に移送するための複数の補助吸引管４６と、
前記吸引排水装置２０により吸引された汚水を前記下流側止水用栓１８より下流側に排水するための排出管２７とを備える下水管作業用循環排水装置であって、
前記各補助吸引管４６に開閉弁４８をそれぞれ設け、この開閉弁４８を所定の時間間隔で順次開作動して１本の補助吸引管４６が所定の時間だけ順次吸引するようにしたことを特徴とする下水管作業用循環排水装置である。
【００１３】
第１の発明によれば、作業区間の下水管の上流と下流に止水用栓１７，１８をそれぞれ設けたので、作業区間の下水管に、下水管を流れる汚水等が流れ込むことがない。また、家の排水用マス４１から排水管４０内への汚水の流れを阻止する止水用栓４５を設けたので、作業区間の下水管に家の排水用マス４１より汚水等が流れ込むことがない。しかも作業区間の下水管の上流側の汚水等が下流側にバイパスして流れるし、家の排水用マス４１内の汚水等が補助吸引管４６、吸引排水装置２０、排出管２７を経て作業区間の下水管より下流側に排水される。
したがって、下水を使用したままの状態で下水管を清掃、点検、補修、交換等の作業をすることができる。
また、各補助吸引管４６を吸引排水装置２０の吸引側にそれぞれ接続すれば良いので、その作業が簡単となる。
また、１本の補助吸引管４６が所定時間だけ順次吸引作動し、各補助吸引管４６が同時に汚水等を吸引しないから、吸引排水装置２０の能力が小さくなって、小型の吸引排水装置２０を利用できる。
【００２４】
第２の発明は、第１の発明における各排水用マス４１内に所定の高さの水位となると信号を出力するレベルセンサ５２をそれぞれ設け、このレベルセンサ５２より信号が出力された時にその排水用マス４１に挿入した補助吸引管４６の開閉弁４８を優先的に開作動するようにした下水管作業用循環排水装置である。
【００２５】
第２の発明によれば、各家の排水量が著しく異なった場合に、排水量の多い排水用マス４１内の汚水等を優先して吸引するので、排水用マス４１内に汚水が満杯となってあふれることがない。
【００２８】
第３の発明は、作業区間の下水管の上流側に設けた上流側止水用栓１７と、
その作業区間の下水管の下流側に設けた下流側止水用栓１８と、
前記上流側止水用栓（１７）より上流側の汚水等を下流側止水用栓１８より下流側にバイパスして排水する手段と、
前記作業区間の下水管に接続した複数の排水管４０と、
この各排水管４０にそれぞれ接続した複数の排水用マス４１と、
この各排水用マス４１から各排水管４０内への汚水流れをそれぞれ阻止する複数の止水用栓４５と、
吸引排水装置２０と、
前記各排水用マス４１に挿入されて、前記各排水用マス４１内の汚水を前記吸引排水装置２０に移送するための複数の補助吸引管４６と、
前記吸引排水装置２０により吸引された汚水を前記下流側止水用栓１８より下流側に排水するための排出管２７とを備える下水管作業用循環排水装置であって、
前記各補助吸引管４６にそれぞれ設けた開閉弁４８と、前記各開閉弁４８を開閉動作するコントローラ２２と、各補助吸引管４６における開閉弁４８よりも排水用マス４１寄りの真空度をそれぞれ測定してコントローラ２２に入力するセンサ７０とを設け、
前記コントローラ２２は、１つの開閉弁４８を開とし、残りの開閉弁４８を閉として１つの排水用マス４１内の汚水を１つの補助吸引管４６を経て排水している時に、その１つの補助吸引管４６の真空度が設定値以下に低下したらその開閉弁４８を閉とし、かつ残りの開閉弁４８の１つを所定の順番で開とするようにしたことを特徴とする下水管作業用循環排水装置である。
【００２９】
第３の発明によれば、作業区間の下水管の上流と下流に止水用栓１７，１８をそれぞれ設けたので、作業区間の下水管に、下水管を流れる汚水等が流れ込むことがない。また、家の排水用マス４１から排水管４０内への汚水の流れを阻止する止水用栓４５を設けたので、作業区間の下水管に家の排水用マス４１より汚水等が流れ込むことがない。しかも作業区間の下水管の上流側の汚水等が下流側にバイパスして流れるし、家の排水用マス４１内の汚水等が補助吸引管４６、吸引排水装置２０、排出管２７を経て作業区間の下水管より下流側に排水される。
したがって、下水を使用したままの状態で下水管を清掃、点検、補修、交換等の作業をすることができる。
また、各補助吸引管４６を吸引排水装置２０の吸引側にそれぞれ接続すれば良いので、その作業が簡単となる。
また、１つの排水用マス４１内の汚水を１つの補助吸引管４６を経て排水している時に、その排水用マス４１内の汚水量が減少して補助吸引管４６がエアーを吸い込むと、センサ７０の測定した真空度が設定値以下となってその開閉弁４８が閉じ、残りの１つの開閉弁４８を所定の順番で開として残りの１つの排水用マス４１内の汚水を排水する。
【００３０】
このようであるから、複数の排水用マス４１内の汚水を１つの排水用マス毎に順次排水でき、吸引排水装置２０を小型にできる。また、補助吸引管４６に開閉弁４８とセンサ７０を設けてあるから、その補助吸引管４６を排水用マス４１に接続すれば良く、その操作が簡単となる。
【００３１】
また、センサ７０は補助吸引管４６における開閉弁４８よりも排水用マス４１寄りに設けてあるから、開閉弁４８が閉の時にはセンサ７０の測定値は大気圧（０ｍｍＨｇ）となり、開閉弁４８が誤動作することがない。
【００３２】
また、センサ７０から排水用マス４１までの距離は短く、センサ７０から吸引排水装置２０までの距離は長いので、排水用マス４１内の汚水量が減少してエアーを吸引しセンサ７０の測定値が設定値以下となった時に、補助吸引管４６の吸引排水装置２０寄りには汚水があって吸引排水装置２０の真空度が低下しない。しかも、センサ７０の測定値が設定値以下となると直ちに開閉弁４８が閉じる。
【００３３】
したがって、吸引排水装置２０の真空度が低下することがないから、各排水用マス４１内の汚水を効率良く排水できる。
【００３４】
第４の発明は、作業区間の下水管の上流側に設けた上流側止水用栓１７と、
その作業区間の下水管の下流側に設けた下流側止水用栓１８と、
前記上流側止水用栓１７より上流側の汚水等を下流側止水用栓１８より下流側にバイパスして排水する手段と、
前記作業区間の下水管に接続した複数の排水管４０と、
この各排水管４０にそれぞれ接続した複数の排水用マス４１と、
この各排水用マス４１から各排水管４０内への汚水流れをそれぞれ阻止する複数の止水用栓４５と、
吸引排水装置２０と、
前記各排水用マス４１に挿入されて、前記各排水用マス４１内の汚水を前記吸引排水装置２０に移送するための複数の補助吸引管４６と、
前記吸引排水装置２０により吸引された汚水を前記下流側止水用栓１８より下流側に排水するための排出管２７とを備える下水管作業用循環排水装置であって、
前記各補助吸引管４６にそれぞれ設けた開閉弁４８と、前記各開閉弁４８を開閉動作するコントローラ２２と、各排水用マス４１と吸引排水装置２０との間の真空度をそれぞれ測定してコントローラ２２に入力するセンサ７０とを設け、
前記コントローラ２２は、１つの開閉弁４８を開とし、残りの開閉弁４８を閉として１つの排水用マス４１内の汚水を１つの補助吸引管４６を経て排水している時に、センサ７０で測定した真空度が設定値以下に低下したらその開閉弁４８を閉とし、かつ残りの開閉弁４８の１つを所定の順番で開とするようにしたことを特徴とする下水管作業用循環排水装置である。
【００３５】
第４の発明によれば、作業区間の下水管の上流と下流に止水用栓１７，１８をそれぞれ設けたので、作業区間の下水管に、下水管を流れる汚水等が流れ込むことがない。また、家の排水用マス４１から排水管４０内への汚水の流れを阻止する止水用栓４５を設けたので、作業区間の下水管に家の排水用マス４１より汚水等が流れ込むことがない。しかも作業区間の下水管の上流側の汚水等が下流側にバイパスして流れるし、家の排水用マス４１内の汚水等が補助吸引管４６、吸引排水装置２０、排出管２７を経て作業区間の下水管より下流側に排水される。
したがって、下水を使用したままの状態で下水管を清掃、点検、補修、交換等の作業をすることができる。
また、各補助吸引管４６を吸引排水装置２０の吸引側にそれぞれ接続すれば良いので、その作業が簡単となる。
また、１つの排水用マス４１内の汚水を１つの補助吸引管４６を経て排水している時に、その排水用マス４１内の汚水量が減少して補助吸引管４６がエアーを吸い込むと、センサ７０の測定した真空度が設定値以下となって、その開閉弁４８が閉じ、残りの１つの開閉弁４８を所定の順番で開として残りの１つの排水用マス４１内の汚水を排水する。
【００３６】
このようであるから、複数の排水用マス４１内の汚水を１つの排水用マス毎に順次排水でき、吸引排水装置２０を小型にできる。
【００３７】
また、センサ７０を１つとすることが可能となる。
【００３８】
第５の発明は、第４の発明におけるコントローラ２２は、１つの開閉弁４８を開とし、残りの開閉弁４８を閉として１つの排水用マス４１内の汚水を１つの補助吸引管４６を経て排水している時に、センサ７０で測定した真空度が設定値以下に低下したらその開閉弁４８を閉とし、かつセンサ７０の測定した真空度が所定値に復帰したら残りの開閉弁４８の１つを所定の順番で開とするようにした下水管作業用循環排水装置である。
【００３９】
第５の発明によれば、１つの補助吸引管４６で１つの排水用マス４１の汚水を排水している時にエアーを吸引すると、その補助吸引管４６の開閉弁４８が閉じ、真空度が所定値に復帰してから残りの１つの開閉弁４８を所定の順番で開として残りの１つの排水用マス４１内の汚水を排水する。
【００４０】
このようであるから、センサ７０で測定した真空度が設定値以下となってから、その真空度が所定値となるまでの間は各開閉弁４８が閉じており、その真空度は短時間に所定値まで復帰する。
【００４１】
第６の発明は、作業区間の下水管の上流側に設けた上流側止水用栓１７と、
その作業区間の下水管の下流側に設けた下流側止水用栓１８と、
前記上流側止水用栓１７より上流側の汚水等を下流側止水用栓１８より下流側にバイパスして排水する手段と、
前記作業区間の下水管に接続した複数の排水管４０と、
この各排水管４０にそれぞれ接続した複数の排水用マス４１と、
この各排水用マス４１から各排水管４０内への汚水流れをそれぞれ阻止する複数の止水用栓４５と、
吸引排水装置２０と、
前記各排水用マス４１に挿入されて、前記各排水用マス４１内の汚水を前記吸引排水装置２０に移送するための複数の補助吸引管４６と、
前記吸引排水装置２０により吸引された汚水を前記下流側止水用栓１８より下流側に排水するための排出管２７とを備える下水管作業用循環排水装置であって、
前記各補助吸引管４６にそれぞれ設けた開閉弁４８と、前記各開閉弁４８を開閉動作するコントローラ２２と、各補助吸引管４６の排水用マス４１の吸込口と吸引排水装置２０との間の真空度をそれぞれ測定してコントローラ２２に入力するセンサ７０と、排水用マス４１内の水位が一定高さとなると信号をコントローラ２２に入力するレベルセンサ５２とを設け、
前記コントローラ２２は、レベルセンサ５２から信号が入力されない場合には所定の順番で１つの開閉弁４８を開とし、残りの開閉弁４８を閉として１つの排水用マス４１内の汚水を１つの補助吸引管４６を経て排水し、かつセンサ７０で測定した真空度が設定値以下に低下したらその開閉弁４８を閉とし、かつ残りの開閉弁４８の１つを所定の順番で開とするようにし、
前記コントローラ２２は、レベルセンサ５２からの信号が入力された場合には、その時に開となっていた開閉弁４８を閉とし、そのレベルセンサ５２を設けた排水用マス４１に接続した補助吸引管４６の開閉弁４８を開とし、センサ７０で測定した真空度が設定値以下に低下したらその開閉弁４８を閉し、かつ他の開閉弁４８の１つを所定の順番で開とするようにしたことを特徴とする下水管作業用循環排水装置である。
【００４２】
第６の発明によれば、作業区間の下水管の上流と下流に止水用栓１７，１８をそれぞれ設けたので、作業区間の下水管に、下水管を流れる汚水等が流れ込むことがない。また、家の排水用マス４１から排水管４０内への汚水の流れを阻止する止水用栓４５を設けたので、作業区間の下水管に家の排水用マス４１より汚水等が流れ込むことがない。しかも作業区間の下水管の上流側の汚水等が下流側にバイパスして流れるし、家の排水用マス４１内の汚水等が補助吸引管４６、吸引排水装置２０、排出管２７を経て作業区間の下水管より下流側に排水される。
したがって、下水を使用したままの状態で下水管を清掃、点検、補修、交換等の作業をすることができる。
また、各補助吸引管４６を吸引排水装置２０の吸引側にそれぞれ接続すれば良いので、その作業が簡単となる。
また、レベルセンサ５２から信号が入力されていない場合には所定の順番で１つの排水用マス４１内の汚水を１つの補助吸引管４６を経て排水し、その時に、その排水用マス４１内の汚水量が減少して補助吸引管４６がエアーを吸い込むと、センサ７０の測定した真空度が設定値以下となって、その開閉弁４８が閉じ、残りの１つの開閉弁４８を所定の順番で開として残りの１つの排水用マス４１内の汚水を排水する。
【００４３】
また、前述のようにして１つの開閉弁４８を所定の順番で開として１つの排水用マス４１内の汚水を所定の順番で順次排水している時に、１つの排水用マス４１内の水位が一定高さとなるとレベルセンサ５２からコントローラ２２に信号が入力される。これによって、コントローラ２２はその時に開となっている開閉弁４８を閉じ、そのレベルセンサ５２と対応した開閉弁４８を開として水位が一定高さ以上となっている排水用マス４１内の汚水を排水し、センサ７０の測定した真空度が設定値以下となったらその開閉弁４８を閉じ、他の開閉弁４８を所定の順番で開として前述のレベルセンサ５２から信号が入力されていない場合の開閉制御動作に復帰する。
【００４４】
このようであるから、複数の排水用マス４１内の汚水を所定の順番で１つの排水用マス毎に順次排水でき、吸引排水装置２０を小型にできる。また、排水用マス４１内に一定高さ以上汚水が溜ると、前述の順番に優先してその排水用マス４１内の汚水を排水するので、排水用マス４１内の汚水がオーバーフローすることがない。
【００４５】
第７の発明は、作業区間の下水管の上流側に設けた上流側止水用栓１７と、
その作業区間の下水管の下流側に設けた下流側止水用栓１８と、
前記上流側止水用栓１７より上流側の汚水等を下流側止水用栓１８より下流側にバイパスして排水する手段と、
前記作業区間の下水管に接続した複数の排水管４０と、
この各排水管４０にそれぞれ接続した複数の排水用マス４１と、
この各排水用マス４１から各排水管４０内への汚水流れをそれぞれ阻止する複数の止水用栓４５と、
吸引排水装置２０と、
前記各排水用マス４１に挿入されて、前記各排水用マス４１内の汚水を前記吸引排水装置２０に移送するための複数の補助吸引管４６と、
前記吸引排水装置２０により吸引された汚水を前記下流側止水用栓１８より下流側に排水するための排出管２７とを備える下水管作業用循環排水装置であって、
前記各補助吸引管４６にそれぞれ設けた開閉弁４８と、前記各開閉弁４８を開閉動作するコントローラ２２と、各開閉弁４８と吸引排水装置２０との間の真空度をそれぞれ測定してコントローラ２２に入力するセンサ７０と、排水用マス４１内の水位が一定高さとなると信号をコントローラ２２に入力するレベルセンサ５２とを設け、
前記コントローラ２２は、前記センサ７０で測定した真空度が設定値以下に低下した場合、その開閉弁４８を閉とし、かつ残りの開閉弁４８の１つを所定の順番で開とする第１の機能と、真空度が設定値以下に低下しないうちに吸引時間が所定時間を経過した場合、その開閉弁４８を閉とし、かつ残りの開閉弁４８の１つを所定の順番で開とする第２の機能と、レベルセンサ５２からの信号が入力された場合には、前記第１・第２の機能に優先してその時に開となっていた開閉弁４８を閉とし、そのレベルセンサ５２を設けた排水用マス４１に接続した補助吸引管４６の開閉弁４８を開とし、センサ７０で測定した真空度が設定値以下に低下した場合、又は真空度が設定値以下に低下しないうちに吸引時間が所定時間を経過した場合、その開閉弁４８を閉とし、かつ残りの開閉弁４８の１つを順番に開とする第３の機能を有するようにしたことを特徴とする下水管作業用循環排水装置である。
【００４６】
第７の発明によれば、作業区間の下水管の上流と下流に止水用栓１７，１８をそれぞれ設けたので、作業区間の下水管に、下水管を流れる汚水等が流れ込むことがない。また、家の排水用マス４１から排水管４０内への汚水の流れを阻止する止水用栓４５を設けたので、作業区間の下水管に家の排水用マス４１より汚水等が流れ込むことがない。しかも作業区間の下水管の上流側の汚水等が下流側にバイパスして流れるし、家の排水用マス４１内の汚水等が補助吸引管４６、吸引排水装置２０、排出管２７を経て作業区間の下水管より下流側に排水される。
したがって、下水を使用したままの状態で下水管を清掃、点検、補修、交換等の作業をすることができる。
また、各補助吸引管４６を吸引排水装置２０の吸引側にそれぞれ接続すれば良いので、その作業が簡単となる。
また、所定の順番で１つの排水用マス４１内の汚水を排水する時に、排水用マス４１の真空度による排水を優先回路とし、真空度が設定値以下にならならなくても、吸引時間が所定時間を経過すると開閉弁４８を閉とし、残りの開閉弁４８の１つを所定の順番で開として、残りの１つの排水用マス４１内の汚水を排水する。
かつ、レベルセンサ５２からの信号が入力されると、その時に開となっていた開閉弁４８を閉として、レベルセンサ５２からの信号が入力された排水用マス４１内の汚水を優先して排水する。
【００４７】
このようであるから、一部の排水用マス４１の真空度の検出が故障していても所定時間吸引後、残りの排水用マス４１の１つから所定の順番で汚水を排水しながら排水用マス４１を移行していくので、全部の排水用マス４１から汚水を確実に排水することができる。
また、汚水が一定レベル以上になった排水用マス４１を優先して排水するので、排水用マス４１から汚水があふれることはなく、確実に全部の排水用マス４１から汚水を排水する。
【００４８】
【発明の実施の形態】
図１に示すように、第１のマンホール１０に第１の下水管１１と第２の下水管１２が開口し、第２の下水管１２は第２のマンホール１３に開口し、その第２のマンホール１３に第３の下水管１４が開口し、この第３の下水管１４は第３のマンホール１５に開口し、その第３のマンホール１５に第４の下水管１６が開口しており、各下水管は各マンホールを介して連続して地中に埋設してある。汚水等は第１の下水管１１から第４の下水管１６に向けて流れる。
【００４９】
前記第３の下水管１４が作業区間となり、この第３の下水管１４の上流側、つまり第２の下水管１２における第２のマンホール１３に開口した流出側に上流側止水用栓１７が設けられ、第３の下水管１４の下流側、つまり第４の下水管１６の第３のマンホール１５に開口した流入側に流出側止水用栓１８が設けてある。これにより作業区間である第３の下水管１４には上流側の下水管より汚水等が流れ込まない。
【００５０】
なお、第３の下水管１４の流入側と流出側に止水用栓を設けずに第２の下水管１２の流出側と第４の下水管１６の流入側に止水用栓を設けたのは、第３の下水管１４を作業する際に作業者が第２、第３のマホール１３，１５より出入りするためである。
【００５１】
地上には吸引排水装置２０と制御式のコンプレッサ２１とコントローラ２２等で構成した制御システムが設置してある。
前記吸引排水装置２０は図２に示すようにタンク２３と真空吸引ポンプ２４と圧送ポンプ２５を備え、真空吸引ポンプ２４でタンク２３内のエアを吸引して吸引管２６により汚水等をタンク２３内に吸引し、そのタンク２３内の汚水等を圧送ポンプ２５で排出管２７に圧送するようにしてある。
【００５２】
前記コントローラ２２は制御式のコンプレッサ２１、真空吸引ポンプ２４、圧送ポンプ２５、後述する電磁開閉弁等をコントロールする。
【００５３】
前記吸引排水装置２０の吸引管２６の吸込口は上流側止水用栓１７よりも上流側に位置し、排出管２７の排出口は下流側止水用栓１８よりも下流側に位置している。これにより第２の下水管１２に流れ込んだ汚水等を第４の下水管１６にバイパスして流し、下水の使用を停止せずに第３の下水管１４を作業できるようにしてある。
【００５４】
前記上流側止水用栓１７及び下流側止水用栓１８は図３に示すように、ゴム等の可撓材により中空部３０を有するリング状の本体３１と、その本体３１の中心貫通孔３２に挿通したパイプ３３と、そのパイプ３３の長手方向両端部に螺合して本体３１に接した一対の押えプレート３４と、一方の押えプレート３４に取付けられたノズル３５より成り、そのノズル３５が前記コンプレッサ２１に接続してある。
【００５５】
このようであるから、コンプレッサ２１を駆動してノズル３５より本体３１の中空部３０にエアーを供給すると本体３１が拡張変形して下水管の内面に圧着して止水性能が優れたものとなる。
そして、上流側止水用栓１７のパイプ３３に吸引管２６が接続し、下流側止水用栓１８のパイプ３３に排出管２７が接続してある。
【００５６】
前記第３の下水管１４には複数の排水管４０が接続しており、この各排水管４０は図４に示すように各家の排水用マス４１の出口４２に接続し、その排水用マス４１の入口４３には台所、トイレ、浴室等に接続した排水パイプ４４が接続している。これにより各家庭で使用する汚水等が排水管４０より第３の下水管１４に流れ込む。
【００５７】
前記第３の下水管１４を作業する時には、図４に仮想線で示すように前記排水用マス４１の出口４２に止水用栓４５を設けて排水管４０に汚水等が流れないようにし、その排水用マス４１内に補助吸引管４６を入れ、排水用マス４１内に流れ込んだ汚水等を補助吸引管４６で排水する。
なお、止水用栓４５を設けたり、補助吸引管４６を入れる場合には蓋４７を外す。
【００５８】
前記各補助吸引管４６は図５に示すように開閉弁４８、例えば電磁開閉弁４８を経て一本の主補助吸引管４９にそれぞれ接続し、この主補助吸引管４９が前記吸引管２６又はタンク２３に接続してある。なお、各補助吸引管４６を吸引管２６にそれぞれ接続したり、タンク２３に接続したりしても良い。
図５においては、下水管の両側に家があり、排水用マス４１が下水管の両側にあるから、主補助吸引管４９が２本となっているが、下水管の片側にのみ家がある場合には主補助吸引管４９は１本となる。なお、図５において両側の主補助吸引管４９を一本としても良いことは勿論である。
【００５９】
前記各電磁開閉弁４８は図６に示すように、スプリング５０で閉位置ａとなり、ソレノイド５１に通電されると開位置ｂとなり、その各ソレノイド５１には前記コントローラ２２により通電制御される。
【００６０】
例えば、図４に示すように各補助吸引管４６にフロートスイッチ等の排水用マス４１内の水位が一定高さとなると信号を出力するレベルセンサー５２を取付け、そのレベルセンサー５２の信号をコントローラ２２に入力する。
【００６１】
前記コントローラ２２は電磁開閉弁４８のソレノイド５１に所定の時間間隔で順次通電し、１つの電磁開閉弁４８が所定の時間だけ順次開位置ｂとなるようにすると共に、レベルスイッチ５２から信号が入力された時にはそのレベルスイッチ５２と対応した電磁開閉弁４８のソレノイド５１に優先して通電するようにする。
【００６２】
このようにすれば、複数の排水用マス４１におけるいずれか１つより汚水を吸引するので、各排水用マス４１より同時に汚水を吸引する場合と比べて吸引力が小さくなり、真空吸引ポンプ２４を小型にできる。
【００６３】
なお、レベルスイッチ５２を設けずに電磁開閉弁４８のソレノイド５１に所定の時間間隔で順次通電し、１つの電磁開閉弁４８が所定の時間だけ順次開位置ｂとなるようにしても良い。
【００６４】
また、図７に示すように補助吸引管４６の先端部にフロートバルブ５３を設け、排水用マス４１内の水位が所定の高さ以上となるとフロートバルブ５３が開き、水位が所定の高さ以下となるとフロートバルブ５３が閉じるようにしても良い。
前記フロートバルブ５３はバルブ５４をフロート５５で開閉作動するようにしたものである。
【００６５】
このようにすれば、電磁開閉弁４８が不要となる。
【００６６】
前記コントローラ２２は起動スイッチ５６より起動信号が入力されると真空吸引ポンプ２４、圧送ポンプ２５を駆動し、停止スイッチ５７より停止信号が入力される真空吸引ポンプ２４、圧送ポンプ２５を停止する。
【００６７】
図８は排水用マス４１の汚水を排水する第２実施例を示し、排水用マス４１の汚水を吸引する専用の吸引排水装置２０を設けて排出管２７に排水するようにしてある。なお、図８では下水管の両側に吸引排水装置２０を設けたが、１つの吸引排水装置２０としても良い。
【００６８】
このようにすれば、下水管からの汚水吸引排出と排出用マス４１からの汚水吸引排出が別々の吸引排水装置で行なわれるので、多量の汚水等を排水できる。
【００６９】
この場合には専用の吸引排水装置２０により第３のマンホール１５より下流側のマンホールに直接排水することも可能となる。
【００７０】
図１において、第１のマンホール１０には水中ポンプ、例えば水中グラインダーポンプ６０が設けられ、その吐出管６１は排出管２７に接続されている。これにより第１の下水管１１より流れた汚水等を排出管２７に圧送するので、第２の下水管１２には汚水等があまり流れ込まないから、真空吸引ポンプ２４を小型にできる。
【００７１】
つまり、第２の下水管１２には各家の排水用マスから排水管４０で流れ込むので、この汚水等を吸引管２６で吸引して排水する。
なお、第２の下水管１２の流入側にはスクリーン６２が設けられている。
【００７２】
また図９において、第４の下水管１６の第３のマンホール１５に開口した流入側に下水を排出するための中空部に挿通したパイプのない止水栓６３を設け、作業区間である第３の下水管１４に下流側の第４の下水管１６より汚水等が逆流して流れ込まないようにすると共に、止水用栓６３より下流の第４のマンホール６４に排出管２７を設けてある。
【００７３】
このようにすれば、止水用栓６３の構造が簡単になり製作が容易となる。
なお図示しないが同様に上流側の吸込口においても上流の下水を吸引するためのパイプより下流に下水を吸引するための中空部に挿通したパイプのない止水栓を設けてもよい。
【００７４】
次に、前記開閉弁４８、例えば電磁開閉弁４８を開閉動作する制御装置の他の実施の形態を説明する。
図１０に示すように、各排水用マス４１内の汚水を吸引する各補助吸引管４６に電磁開閉弁４８をそれぞれ設け、この各補助吸引管４６を主補助吸引管４９に接続し、その主補助吸引管４９を吸引排水装置２０のタンク２３内に接続する。
【００７５】
前記各補助吸引管４６における電磁開閉弁４８よりも排水用マス４１寄りに真空度を測定するセンサ７０をそれぞれ設ける。この各センサ７０の測定値は図１１に示すようにコントローラ２２に入力される。
【００７６】
前記コントローラ２２は起動スイッチ５６より起動信号が入力されると真空吸引ポンプ２４、圧送ポンプ２５を駆動してタンク２３を真空とする。例えば−７００ｍｍＨｇ〜−７６０ｍｍＨｇとする。これと同時にコントローラ２２は１つの電磁開閉弁４８のソレノイド５１に通電して開位置ｂとする。
【００７７】
これにより、１つの排水用マス４１内の汚水が補助吸引管４６、主補助吸引管４９を経てタンク２３内に吸引され、圧送ポンプ２５で排水される。
前記１つの排水用マス４１内の汚水量が減少すると前記１つの補助吸引管４６はエアーを吸引するので、その補助吸引管４６内の真空度がタンク２３内の真空度よりも低下し、その真空度はセンサ７０で測定されてコントローラ２２に入力される。
【００７８】
コントローラ２２はセンサ７０で測定した真空度が設定値、例えば５０ｍｍＨｇ以下となると通電していたソレノイド５１への通電を止め、その電磁開閉弁４８を閉位置ａとする。これと同時に他の１つの電磁開閉弁４８のソレノイド５１に通電して開位置ｂとし、他の１つの排水用マス４１内の汚水を前述と同様にして排水する。
【００７９】
そして、他の１つの排水用マス４１内の汚水量が減少してセンサ７０で検出した真空度が設定値以下となると、その電磁開閉弁４８のソレノイド５１への通電を止めて閉位置ａとし、次の他の１つの電磁開閉弁４８のソレノイド５１に通電して開位置ｂとして次の他の１つの排水用マス４１内の汚水を排出する。以下前述の動作を順次繰返して全ての排水用マス４１内の汚水を排水する。
【００８０】
このようであるから、複数の排水用マス４１内の汚水を１つの排水用マス毎に順次排水でき、真空吸引ポンプ２４を小型にできる。また、補助吸引管４６にセンサ７０を設けてあるから、その補助吸引管４６を排水用マス４１に接続すれば良く、その操作が簡単となる。
【００８１】
また、センサ７０は補助吸引管４６における電磁開閉弁４８よりも排水用マス４１寄りに設けてあるから、電磁開閉弁４８が閉位置ａの時にはセンサ７０の測定値は大気圧（０ｍｍＨｇ）となり、電磁開閉弁４８が誤動作することがない。
【００８２】
また、センサ７０から排水用マス４１までの距離は短く、センサ７０からタンク２３までの距離は長いので、排水用マス４１内の汚水量が減少してエアーを吸引しセンサ７０の測定値が設定値以下となった時に、補助吸引管４６の主補助吸引管４９寄り及び主補助吸引管４９には汚水があってタンク２３内の真空度が低下しない。しかも、センサ７０の測定値が設定値以下となると直ちに電磁開閉弁４８が閉位置ａとなる。
【００８３】
したがって、タンク２３内の真空度が低下することがないから、各排水用マス４１内の汚水を効率良く排水できる。
【００８４】
前記センサ７０は図１２に実線で示すように各補助吸引管４６における電磁開閉弁４８よりもタンク２３寄りにそれぞれ設けても良いし、図１２に仮想線で示すように主補助吸引管４９に１つのセンサ７０を設けても良く、さらにはタンク２３に１つのセンサ７０を設けても良い。
【００８５】
この場合には、センサ７０の測定した真空度が設定値以下となった時に１つの電磁開閉弁４８のソレノイド５１への通電を止めて閉位置ａとし、そのセンサ７０の測定した真空度が所定値に復帰した後に他の１つの電磁開閉弁４８のソレノイド５１に通電して開位置ｂとする。
【００８６】
すなわち、電磁開閉弁４８よりもタンク２３寄りにセンサ７０を設けると、１つの電磁開閉弁４８を開位置ｂとして１つの排水用マス４１の汚水を排水している時にエアーを吸引してセンサ７０の測定値が低下した時に、他の補助吸引管４６、主補助吸引管４９、タンク２３内の真空度が低下するので、前記１つの電磁開閉弁４８を閉位置ａとして真空度が所定値に復帰した後に他の１つの電磁開閉弁４８のソレノイド５１に通電して開位置ｂとする。
【００８７】
前述の真空度を測定するセンサ７０と、例えば図４に示す排水用マス４１内の水位が一定高さとなる信号を出力するレベルセンサー５２を用いて開閉弁４８、例えば電磁開閉弁４８を開閉制御しても良い。
【００８８】
具体的には、図１３に示すようにコントローラ２２にセンサ７０の真空度を入力すると共に、レベルセンサー５２の信号をコントローラ２２に入力する。
【００８９】
レベルセンサー５２からコントローラ２２に信号が入力されない時には、前述と同様にセンサ７０の真空度が設定値以下となったことにより１つの電磁開閉弁４８を所定の順番で順次開として１つの排水用マス４１内の汚水を順次排水する。
【００９０】
前述のようにして１つの排水用マス４１内の汚水を所定の順番で順次排水している時にレベルセンサー５２から信号がコントローラ２２に入力されると、その時に通電していたソレノイド５１への通電を止め、その電磁開閉弁４８を閉位置ａとする。
【００９１】
これと同時にコントローラ２２は、その信号が入力されたレベルセンサー５２の排水用マス４１に接続した補助吸引管４６に設けた電磁開閉４８のソレノイド５１に通電して開位置ｂとし、その排水用マス４１内の汚水を排水する。
【００９２】
前記排水している排水用マス４１の補助吸引管４６に設けたセンサ７０の測定した真空度が設定値以下となると、その電磁開閉弁４８のソレノイド５１への通電を止めて閉位置ａとし、前述のセンサ７０による開閉動作において設定した順番に従って前述の閉位置ａとした電磁開閉弁４８の次の電磁開閉弁４８のソレノイド５１に通電して開位置ｂとする。
【００９３】
このように、レベルセンサ５２の信号が入力された時に所定の順番で排水している排水用マスに優先して、そのレベルセンサ５２の排水用マス４１内の汚水を排水するから、排水用マス４１内の汚水がオーバーフローすることがない。
【００９４】
また、開閉弁４８、例えば電磁開閉弁４８のソレノイド５１に予め設定した所定の順番で順次通電する動作と、センサ７０で測定した真空度が設定値以下に低下した場合、又は所定の時間経過してもセンサ７０の測定した真空度が設定値以下とならない場にはソレノイド５１への通電を止めて次の電磁開閉弁４８のソレノイド５１に通電する動作と、排水用マス４１内の水位が一定高さとなると信号を出力するレベルセンサー５２によるソレノイド５１への通電動作を組み合せて複数の排水用マス４１における１つの排水用マス４１内の汚水を排水するようにしても良い。
【００９５】
例えば、図１３に示すコントローラ２２に、複数の電磁開閉弁４８のソレノイド５１に予め設定した所定の順番で通電する第１の機能と、センサ７０の測定した真空度に基づきソレノイド５１に通電する第２の機能と、例えば図４に示すレベルセンサー５２からの信号に基づきソレノイド５１に通電する第３の機能を持たせる。
【００９６】
前記第２の機能を具体的に説明する。所定の順番に従ってソレノイド５１に通電して電磁開閉弁４８を開位置ｂとして１つの排水用マス４１内の汚水を排水している時に、その排水用マス４１と対応したセンサ７０の測定した真空度が設定値以下となった場合及び所定の時間が経過しても真空度が設定値以下とならない場合に直ちにそのソレノイド５１への通電を止め、次の電磁開閉弁４８のソレノイド５１に通電する。
【００９７】
この動作をフローチャートで示すと図１４に示すようになる。
【００９８】
前記第３の機能を具体的に説明する。
【００９９】
前述のようにして１つの排水用マス４１内の汚水を所定の順番で順次排水している時にレベルセンサー５２から信号がコントローラ２２に入力されると、その時に通電していたソレノイド５１への通電を止め、その電磁開閉弁４８を閉位置ａとする。
【０１００】
これと同時にコントローラ２２は、その信号が入力されたレベルセンサー５２の排水用マス４１に接続した補助吸引管４６に設けた電磁開閉弁４８のソレノイド５１に通電して開位置ｂとし、その排水用マス４１内の汚水を排水する。
【０１０１】
前記排水している排水用マス４１の補助吸引管４６に設けたセンサ７０の測定した真空度が設定値以下となると、その電磁開閉弁４８のソレノイド５１への通電を止めて閉位置ａとし、前述のセンサ７０による開閉動作において設定した順番に従って前述の閉位置ａとした電磁開閉弁４８の次の電磁開閉弁４８のソレノイド５１に通電して開位置ｂとする。
【図面の簡単な説明】
【図１】  本発明の第１の実施の形態の縦断面図である。
【図２】  吸引排水装置の説明図である。
【図３】  上流側止水用栓、下流側止水用栓の断面図である。
【図４】  排水用マスの断面図である。
【図５】  排水用マスの汚水の排水経路の第１の実施の形態を示す平面図である。
【図６】  制御回路図である。
【図７】  補助吸引管にフロートバルブを取付けた例を示す排水用マスの断面図である。
【図８】  排水用マス内の汚水の排水経路の第２の実施の形態を示す平面図である。
【図９】  本発明の第２の実施の形態を示す縦断面図である。
【図１０】  本発明の排水用マスの汚水の排水経路の第３の実施の形態を示す説明図である。
【図１１】  制御回路図である。
【図１２】  本発明の排水用マスの汚水の排水経路の第４の実施の形態を示す説明図である。
【図１３】  本発明の他の制御回路図である。
【図１４】  時間と真空圧により電磁開閉弁を開閉する動作のフローチャートである。
【図１５】  従来例の断面図である。
【図１】
0003690547.tif 000002
【図２】
0003690547.tif 000003
【図３】
0003690547.tif 000004
【図４】
0003690547.tif 000005
【図５】
0003690547.tif 000006
【図６】
0003690547.tif 000007
【図７】
0003690547.tif 000008
【図８】
0003690547.tif 000009
【図９】
0003690547.tif 000010
【図１０】
0003690547.tif 000011
【図１１】
0003690547.tif 000012
【図１２】
0003690547.tif 000013
【図１３】
0003690547.tif 000014
【図１４】
0003690547.tif 000015
【図１５】
0003690547.tif 000016